(57)【要約】【課題】  管理者が、管理装置の表示画面上で、被管理装置の構成及び状態を実機に赴く場合と同等の精度で正確に認識できるようにする。【解決手段】  ネットワーク管理装置１０では、管理者により入力部１０３を用いて指定されたＩＰアドレスを持つ被管理装置２０に取得要求を送出し、該取得要求に応じて被管理装置２０から転送される該被管理装置２０の構成／状態管理情報を管理プロトコル１０５ｄで受信し、管理ミドルウェア１０５ｃで管理する。画面表示アプリケーション１０５ｂは、管理ミドルウェア１０５ｃが取得した構成／状態管理情報に基づき、該取得元の被管理装置２０の構成及び状態を当該被管理装置２０の構成及び状態を実際に見た場合と同一の実機イメージで表示部１０４に描画する。【選択図】  図２
2006040302.tif 000002
【特許請求の範囲】
【請求項１】
通信装置と、前記通信装置の管理を行う管理装置とを通信路により接続して成る通信ネットワークシステムにおいて、
前記通信装置は、
自装置の障害発生または障害復旧を含む動作状態を検出する状態監視手段と、
自装置の構成及び前記状態監視手段により検出された該構成に係わる状態に関する構成／状態管理情報を自律管理する自律管理手段と、
前記管理装置からの取得要求に応じて、前記構成／状態管理情報を所定のプロトコルにより前記管理装置へ転送する被管理処理手段
を具備するとともに、
前記管理装置は、
前記被管理装置に前記取得要求を送出し、該取得要求に応じて前記被管理処理手段から転送される前記構成／状態管理情報を前記所定プロトコルにより取得して管理する管理処理手段と、
前記管理処理手段が取得した前記構成／状態管理情報に基づき該取得元の通信装置の構成及び状態を当該通信装置の構成及び状態を実際に見た場合と同一の実機イメージで表示手段に描画する構成／状態表示処理手段と
を具備することを特徴とする通信ネットワークシステム。
【請求項２】
前記管理装置は、
前記構成／状態管理情報の取得対象の通信装置のアドレスを指定するアドレス指定手段
を有し、
前記管理処理手段は、
前記アドレス指定手段により指定されたアドレスに対応する前記通信装置に前記取得要求を送出する
ことを特徴とする請求項１記載の通信ネットワークシステム。
【請求項３】
前記通信装置において、
前記自律管理手段は、
前記状態監視手段により検出された自装置の障害発生または障害復旧に基づく障害管理情報を更に管理し、
前記被管理処理手段は、
自装置の障害発生または障害復旧時、前記自律管理手段により管理される前記障害管理情報を前記所定プロトコルにより前記管理装置に対して自律通知する
とともに、
前記管理装置は、
前記障害発生または障害復旧時の前記自律通知により該当する前記通信装置から取得した前記障害管理情報に基づき、該自律通知の送信元の通信装置に対応する装置アイコンを当該障害発生または復旧を示す色で表示する自律通知表示処理手段
を更に具備し、
前記管理処理手段は、
前記自律通知表示処理手段により表示された装置アイコンの選択操作に応じて該選択された装置アイコンに対応する前記通信装置に前記取得要求を送出する
ことを特徴とする請求項１または２記載の通信ネットワークシステム。
【請求項４】
前記管理装置において、
前記管理処理手段は、
前記通信装置から前記構成／状態管理情報を定期的に取得し、
前記構成／状態表示処理手段は、
取得した前記構成／状態管理情報に基づき前記表示手段に表示中の画像イメージを随時更新表示する
ことを特徴とする請求項１乃至３のいずれか記載の通信ネットワークシステム。
【請求項５】
前記通信装置において、
前記自律管理手段は、
前記構成／状態管理情報として、前記通信装置に実装される基板内部の状態、主電源運転状態、システム運用状態、アラーム状態、ファンの動作状態、温度、接点警報の状態に関する情報を管理し、
前記管理装置において、
前記構成／状態表示処理手段は、
前記通信装置に実装される基板を実際に見た場合と同一の基板外観構造をイメージ表示すると共に、基板内部の状態、主電源運転状態、システム運用状態、アラーム状態、ファンの動作状態、温度、接点警報の状態を色により前記基板外観構造イメージ表示に併せイメージ表示する
ことを特徴とする請求項１乃至４のいずれか記載の通信ネットワークシステム。
【発明の詳細な説明】
【技術分野】
【０００１】
本発明は、１または複数の通信装置と該通信装置を管理するネットワーク管理装置を通信路により接続して成る通信ネットワークシステムに係わり、詳しくは、ネットワーク管理装置において上記通信装置における障害、構成あるいは動作状態等を表示画面上に表示する制御の改良に関する。
【背景技術】
【０００２】
例えば、鉄道管理システムや道路管理システムの分野では、複数の通信装置を分散配置し、これら各通信装置からの情報を管理センタに収集して管理するネットワーク構成が知られている。この種のシステムでは、ネットワークの保守管理等を目的として、例えば、ネットワーク内にネットワーク管理装置を配置し、該ネットワーク管理装置が、管理対象の各通信装置（被管理装置）から各種の情報を取得し、この取得した情報を基に表示画面上にその管理結果を表示する機能を有したものがあった。
【０００３】
ここで、ネットワーク管理装置が被管理装置から取得する情報としては、例えば被管理装置の障害に関する情報がある。一般に、この被管理装置の障害に関する情報は、各被管理装置からの自律通知により取得し、この自律通知に基づき被管理装置毎の障害に関する情報の表示を行うようになっている。この自律通知表示に関し、ネットワーク管理装置では、例えば、被管理装置から自律的に通知される自律通知キャラクタをそのまま表示する方法があった。この方法では、表示画面上には、単に自律通知キャラクタが羅列されるだけであるため、管理者が被管理装置の障害の発生を認識するのが遅れる傾向にあった。
【０００４】
この点の対策として、従来、被管理装置を表すアイコンを用意し、各被管理装置からの障害発生自律通知を基に該当する被管理装置のアイコンに対してその障害発生を表す色を反映させるという方法があった。この方法では、各被管理装置をアイコンとしてとらえ、しかも障害の状態を当該アイコンの色の変化でとらえるため、自律通知キャラクタのみを表示する場合に比べ、管理者が被管理装置の障害を認識するまでの時間を短縮できる。しかしながら、このアイコンを用いた自律通知表示に関して、従来では、例えば、下記特許文献１に示すように、被管理装置を表すアイコンに対して障害発生を表す色を反映させるのみで、障害の復旧を表す色は反映しておらず、管理者は、障害復旧を知るのに時間がかかっていた。
【０００５】
この他、ネットワーク管理装置が被管理装置から取得する情報としては、被管理装置の構成やこの構成を前提とした場合の動作状態等に関する情報もある。この被管理装置の構成及び状態に関する画面表示に関し、従来は、上述のようなアイコンを用いて構成に関する表示を行ったり、あるいは被管理装置に実装される基板を表す簡単な図形（例えば、四角等）を表示するに留まっていた。この方法によれば、ネットワーク管理装置の表示画面上の表示内容は、被管理装置の実際のイメージと大きくかけ離れているため、管理者が被管理装置の構成や状態を正確に把握できず、保守管理作業の混乱を招く危険性があった。
【特許文献１】特開平５−５６０４３号公報
【発明の開示】
【発明が解決しようとする課題】
【０００６】
このように、被管理装置の構成及び状態に係わるネットワーク管理装置での画面表示に関し、従来は、被管理装置のアイコンを用いて構成を表現したり、被管理装置に実装される基板を表す簡単な図形を表示するに留まり、しかも基板の増減等に合わせてこれら変化内容を表示画面上に反映させることはしていなかった。この方法では、表示内容が、当該被管理装置における実際のイメージとかけ離れていることから、管理者が被管理装置の構成及び状態を正確に認識できずに保守管理作業の混乱を招く危険性が高く、しかも当該構成及び状態が変化する毎に当該変化の様子を把握できないという問題点があった。
【０００７】
本発明は上記問題点を除去し、管理者が、管理装置の表示画面上で、被管理装置の構成及び状態を実機に赴く場合と同等の精度で正確に認識できるとともに、該構成及び状態の変化を随時把握でき、保守管理作業の混乱を防止できる通信ネットワークシステムを提供することを目的とする。
【課題を解決するための手段】
【０００８】
上記目的を達成するために、請求項１記載の発明は、通信装置と、前記通信装置の管理を行う管理装置とを通信路により接続して成る通信ネットワークシステムにおいて、前記通信装置は、自装置の障害発生または障害復旧を含む動作状態を検出する状態監視手段と、自装置の構成及び前記状態監視手段により検出された該構成に係わる状態に関する構成／状態管理情報を自律管理する自律管理手段と、前記管理装置からの取得要求に応じて、前記構成／状態管理情報を所定のプロトコルにより前記管理装置へ転送する被管理処理手段を具備するとともに、前記管理装置は、前記被管理装置に前記取得要求を送出し、該取得要求に応じて前記被管理処理手段から転送される前記構成／状態管理情報を前記所定プロトコルにより取得して管理する管理処理手段と、前記管理処理手段が取得した前記構成／状態管理情報に基づき該取得元の通信装置の構成及び状態を当該通信装置の構成及び状態を実際に見た場合と同一の実機イメージで表示手段に描画する構成／状態表示処理手段とを具備することを特徴とする。
【０００９】
請求項２記載の発明は、上記請求項１記載の発明において、前記管理装置は、前記構成／状態管理情報の取得対象の通信装置のアドレスを指定するアドレス指定手段を有し、前記管理処理手段は、前記アドレス指定手段により指定されたアドレスに対応する前記通信装置に前記取得要求を送出することを特徴とする。
【００１０】
請求項３記載の発明は、上記請求項１または２記載の発明において、前記通信装置において、前記自律管理手段は、前記状態監視手段により検出された自装置の障害発生または障害復旧に基づく障害管理情報を更に管理し、前記被管理処理手段は、自装置の障害発生または障害復旧時、前記自律管理手段により管理される前記障害管理情報を前記所定プロトコルにより前記管理装置に対して自律通知するとともに、前記管理装置は、前記障害発生または障害復旧時の前記自律通知により該当する前記通信装置から取得した前記障害管理情報に基づき、該自律通知の送信元の通信装置に対応する装置アイコンを当該障害発生または復旧を示す色で表示する自律通知表示処理手段を更に具備し、前記管理処理手段は、前記自律通知表示処理手段により表示された装置アイコンの選択操作に応じて該選択された装置アイコンに対応する前記通信装置に前記取得要求を送出することを特徴とする。
【００１１】
請求項４記載の発明は、上記請求項１乃至３のいずれか記載の発明において、前記管理装置において、前記管理処理手段は、前記通信装置から前記構成／状態管理情報を定期的に取得し、前記構成／状態表示処理手段は、取得した前記構成／状態管理情報に基づき前記表示手段に表示中の画像イメージを随時更新表示することを特徴とする。
【００１２】
請求項５記載の発明は、上記請求項１乃至４のいずれか記載の発明において、前記通信装置において、前記自律管理手段は、前記構成／状態管理情報として、前記通信装置に実装される基板内部の状態、主電源運転状態、システム運用状態、アラーム状態、ファンの動作状態、温度、接点警報の状態に関する情報を管理し、前記管理装置において、前記構成／状態表示処理手段は、前記通信装置に実装される基板を実際に見た場合と同一の基板外観構造をイメージ表示すると共に、基板内部の状態、主電源運転状態、システム運用状態、アラーム状態、ファンの動作状態、温度、接点警報の状態を色により前記基板外観構造イメージ表示に併せイメージ表示することを特徴とする。
【発明の効果】
【００１３】
本発明によれば、管理装置において、被管理装置の構成及び該構成を前提とする状態に関する情報を被管理装置から取得し、この取得した情報に基づき取得元被管理装置の構成及び状態を実機そのままのイメージで表示画面上に表示するようにしたため、管理者は、上記表示画面上の表示内容から、被管理装置の構成及び状態を実機に赴く場合と同等の精度で正確に認識でき、保守管理作業の混乱を防止できる。
【００１４】
併せて、本発明では、管理装置において、被管理装置の構成情報及び状態情報を被管理装置から定期的に取得し、先に取得した内容と変化がある場合にはこの変化を上記表示画面上に反映させるようにしたため、管理者は、この表示内容を見ることにより、被管理装置の構成及び状態の変化を随時把握できる。
【発明を実施するための最良の形態】
【００１５】
以下、本発明の実施の形態について添付図面を参照して詳細に説明する。図１は、本発明に係わる通信ネットワークシステムの全体構成を示す概念図であり、ネットワーク管理装置１０と複数の被管理装置２０ａ，２０ｂ，２０ｃを通信路３０を介してリング状に接続して構成される。ここで、被管理装置２０（２０ａ，２０ｂ，２０ｃ）としては、例えばＡＴＭ（Asynchronous Transfer Mode：非同期転送モード）交換機を用いることができる。また、本発明は、通信ネットワークシステムの構成として、ネットワーク管理装置１０と被管理装置２０間をリング状に接続するものに限るものではなく、直線的な接続あるいはスター型の接続等の種々の接続形態も許容するものである。
【００１６】
図１における通信ネットワークシステム中、ネットワーク管理装置１０と被管理装置２０とは、例えばそれぞれ図２と図３に示す構成により実現される。図２において、ネットワーク管理装置１０は、通信路３０とのインタフェースを司るインタフェース部１０１、全体の制御を行う制御部１０２、マウスやキーボード等により構成され、ネットワーク管理のための種々の指示入力操作を行う入力部１０３、ネットワーク管理に係わる情報等を表示する表示部１０４、被管理装置２０と協働したネットワーク管理に必要な種々の情報を記憶する記憶部１０５を具備して構成される。
【００１７】
記憶部１０５には、自律通知表示アプリケーション１０５ａ、画面表示アプリケーション１０５ｂ、管理ミドルウェア１０５ｃ、管理プロトコル１０５ｄが少なくとも格納される。自律通知表示アプリケーション１０５ａは、被管理装置２０から自律通知される障害に係わる情報（障害管理情報２０４ａ）に基づく表示処理を行うアプリケーションである。これに対して、画面表示アプリケーション１０５ｂは、被管理装置２０のインタフェーススロット等の構成やこの構成を前提とした内部基板動作状態やアラーム動作等の各種状態に係わる情報（構成／状態管理情報２０４ｂ）に基づく表示処理を行うアプリケーションである。
【００１８】
管理ミドルウェア１０５ｃとしては、例えばＳＮＭＰ（Simple Network Management Protocol）マネージャを用いることができ、管理プロトコル１０５ｄとしては例えばＳＮＭＰ／ＵＤＰ／ＩＰ（Internet Protocol）等を用いることができる。上記アプリケーション１０５ａ，１０５ｂ、管理ミドルウェア１０５ｃ、管理プロトコル１０５ｄは、制御部１０２内に読み込まれ、該制御部１０２の制御の下に実行される。
【００１９】
図３において、被管理装置２０は、通信路３０とのインタフェースを司るインタフェース部２０１、全体の制御を行う制御部２０２、被管理装置における障害の発生状況や動作状態の変化等を監視する状態監視部２０３、ネットワーク管理装置１０と協働したネットワーク管理に必要な種々の情報を記憶する記憶部２０４を具備して構成される。
【００２０】
記憶部２０４には、自装置の各種障害に関する情報を集めた障害管理情報２０４ａ、自装置のインタフェーススロットの構成やこの構成を前提とした内部基板動作状態やアラーム動作等の各種状態に係わる情報を集めた構成／状態管理情報２０４ｂ、被管理ミドルウェア２０４ｃ、管理プロトコル２０４ｄが少なくとも格納される。被管理ミドルウェア２０４ｃとしては、例えばＳＮＭＰエージェントが用いられ、管理プロトコル２０４ｄは例えばＳＮＭＰ／ＵＤＰ／ＩＰが用いられる。被管理ミドルウェア２０４ｃ、管理プロトコル２０４ｄは、制御部２０２内に読み込まれ、当該制御部２０２の制御の下に実行される。
【００２１】
ネットワーク管理装置１０における被管理装置２０の障害管理に関する表示制御処理は、被管理装置２０からの自律通知を待って行われる。すなわち、被管理装置２０において、障害が発生または復旧すると、状態監視部２０３がこれを検出して制御部２０２に伝える。制御部２０２は、これら検出結果を障害管理情報２０４ａとして管理するとともに、当該検出結果を基に被管理装置全体２０としての障害発生なのかまたは障害復旧なのかを判断し、被管理ミドルウェア２０４ｃに対して当該判断結果に従った障害発生または障害復旧の自律通知発報を要求する。この要求を受けることにより、被管理ミドルウェア２０４ｃは、管理プロトコル２０４ｄを使用し、通信路３０で接続されたネットワーク管理装置１０に対して、上記障害管理情報２０４ａを含む自律通知を発報する。
【００２２】
一方、ネットワーク管理装置１０では、被管理装置２０からの障害発生または障害復旧に関する自律通知発報を管理プロトコル１０５ｄにより受け、管理ミドルウェア１０５ｃに自律通知情報（障害管理情報２０４ａ）を渡す。管理ミドルウェア１０５ｃは、この自律通知情報を発報元アドレス（自律通知を発報してきた被管理装置２０のＩＰアドレス）に対応付けて保持・管理する。ここで、管理ミドルウェア１０５ｃは、管理対象であるそれぞれの被管理装置２０を当該各被管理装置２０を表す装置アイコンとして管理する機能を併せ持っている。
【００２３】
自律通知表示アプリケーション１０５ａは、上記自律通知発報の受信時、発報元アドレスを参照して、管理ミドルウェア１０５ｃが管理している装置アイコンを検索する一方、この時の自律通知発報内の障害管理情報２０４ａを参照し、その値によって、上記検索済みの装置アイコンに対して障害の発生を示す色または障害復旧を示す色を反映させて表示部１０４上に表示する。この自律通知表示処理は、被管理装置２０から自律通知発報が受信される度に行われ、これにより、その都度、当該発報元の被管理装置２０の装置アイコンの色表示が更新される。この装置アイコンを用いた色表示の具体的な処理については、図７を参照して後で詳しく説明する。
【００２４】
自律通知表示アプリケーション１０５ａは、上述した装置アイコンによる障害状態の表示機能の他、管理ミドルウェア１０５ｃで管理される上記自律通知情報をキャラクタ情報として表示部１０４に表示する機能も有している。ここでは、便宜上、自律通知表示アプリケーション１０５ａによる自律通知表示のうちのキャラクタ表示処理について先に説明する。
【００２５】
上述した如く、この通信ネットワークシステムにおいて、被管理装置２０は、状態監視部２０３の監視結果に基づき被管理ミドルウェア２０４ｃが管理プロトコル２０４ｄを通じ、ネットワーク管理装置１０に対して自律通知発報を行う。一方、ネットワーク管理装置１０では、上記自律通知発報を管理プロトコル１０５ｄで受け、管理ミドルウェア１０５ｃ上に保持・管理する。この状態で、例えば、管理者によって、入力部１０３から所定の表示操作がなされると、自律通知表示アプリケーション１０５ａは、管理ミドルウェア１０５ｃにて管理される上記自律通知情報を読み出し、キャラクタ情報として表示部１０４に表示する。
【００２６】
図４は、自律通知表示アプリケーション１０５ａがサポートする自律通知情報表示機能（イベント・ブラウザ）の表示画面の一例を示すものである。このイベント・ブラウザは、受信した自律通知情報（イベント）の内容をキャラクタ表示する機能であり、画面項目と表示内容は以下の通りである。
【００２７】
（４１）タイトルバーには、画面名称が表示される。（４２）メニューバーには、メニュー項目が表示される。（４３）メニュー項目は、当該項目内をクリックすることによりプルダウンメニューを表示することができる。（４４）受託には、イベントが受託されたかどうかを表示するチェックマーク欄が表示される。（４５）重要度には、イベントの重要度が表示される。重要度の分類には、正常域、注意域、警戒域、重要警戒域、危険域、認識不能、管理対象外等がある。（４６）日時には、イベントが発生した曜日、日付、時刻が表示される。（４７）ソースには、イベントが発生したネットワーク・オブジェクトの識別子（被管理装置名等）が表示される。（４８）メッセージには、イベントの内容が表示される。
【００２８】
以上の如く、被管理装置２０からの自律通知（以下、トラップと称する）イベントは自律通知表示アプリケーション１０５ａ上のイベント・ブラウザ・ウィンドウに表示される。このイベント・ブラウザ・ウィンドウにトラップイベントを表示するには、イベント設定（あるいはイベント追加）画面において表示の対象となるトラップイベントのイベントＩＤとそれに対応して表示するトラップメッセージをイベント・ログ・メッセージとして設定しておく必要がある。イベントＩＤには、システムで定義されているトラップイベントに対応するイベントＩＤを設定し、イベント・ログ・メッセージには、イベント・ブラウザ・ウィンドウに表示した際、見出しとなる部分を直接入力し、トラップで受信したデータを表示する場合、表示の対象となるデータの位置を＄の直後に指定する。以下、イベント・ログ・メッセージの設定例と表示される内容について図５及び図６を参照して説明する。
【００２９】
まず、図４の表示画面に表示されるイベント中、ハードウェア警報（温度異常通知＝axtTemperatureAlarm）の場合は、ノード詳細記述〔コメント（最大全角３５文字）（axtNodeDescr）〕、システム日時時刻〔yy/mm/dd xxx hh:mm:ss（axtNodeDateTime）〕、状態型警報監視点ID〔xxxxxxxx（１６進８桁）（axtLalmObsId）〕、状態型警報障害名〔状態型警報監視点IDに対応する警報名（最大全角３５文字）（axtLalmName）〕、状態型警報障害状態（１：障害復旧通知、２：障害発生通知）〔１：正常（axtLalmStatus=normal(1)）,２：異常（axtLalmStatus=alarm(2)）〕の各項目があり、その表示例は図５（ａ）に示される如くである。
【００３０】
物理レイヤ警報（LOS通知＝axtLosAlarm）の場合は、ノード詳細記述〔コメント（最大全角３５文字）（axtNodeDescr）〕、システム日時時刻〔yy/mm/dd xxxhh:mm:ss（axtNodeDateTime）〕、状態型警報監視点ID〔xxxxxxxx（１６進８桁）（axtLalmObsId）〕、状態型警報障害名〔状態型警報監視点IDに対応する警報名（最大全角３５文字）（axtLalmName）〕、状態型警報障害状態（１：障害復旧通知、２：障害発生通知）〔１：正常（axtLalmStatus=normal(1)）,２：異常（axtLalmStatus=alarm(2)）〕、Ｉ／Ｆ詳細記述〔コメント（最大全角１２８文字）（axtIfDefDescr）〕の各項目があり、その表示例は図５（ｂ）に示される如くである。
【００３１】
ＡＡＬレイヤ警報（AAL1RX損失セル数通知＝axtAal1RxLostCellsAlarm）の場合は、ノード詳細記述〔コメント（最大全角３５文字）（axtNodeDescr）〕、システム日時時刻〔yy/mm/dd xxx hh:mm:ss（axtNodeDateTime）〕、ゲージ型警報監視点ID〔xxxxxxxx（１６進８桁）（axtGalmObsId）〕、ゲージ型警報障害名〔ゲージ型警報監視点IDに対応する警報名（最大全角３５文字）（axtGalmName）〕、ゲージ型警報障害状態（１：障害復旧通知、２：Minor発生通知、３：Major発生通知）〔１：正常（axtGalmStatus=normal(1)）,２：minor（axtGalmStatus=minor(2)）,３：major（axtGalmStatus=major(3)）〕、Ｉ／Ｆ詳細記述〔コメント（最大全角１２８文字）（axtIfDefDescr）〕の各項目があり、その表示例は図５（ｃ）に示される如くである。
【００３２】
ＡＡＬレイヤ警報（AAL1RX誤配送セル数通知＝axtAal1RxDstErrCellsAlarm）の場合は、ノード詳細記述〔コメント（最大全角３５文字）（axtNodeDescr）〕、システム日時時刻〔yy/mm/dd xxx hh:mm:ss（axtNodeDateTime）〕、ゲージ型警報監視点ID〔xxxxxxxx（１６進８桁）（axtGalmObsId）〕、ゲージ型警報障害名〔ゲージ型警報監視点IDに対応する警報名（最大全角３５文字）（axtGalmName）〕、ゲージ型警報障害状態（１：障害復旧通知、２：Minor発生通知、３：Major発生通知）〔１：正常（axtGalmStatus=normal(1)）,２：minor（axtGalmStatus=minor(2)）,３：major（axtGalmStatus=major(3)）〕の各項目があり、その表示例は図５（ｄ）に示される如くである。
【００３３】
ループバック（自動ループバック実行通知＝axtLpbkAutoSetNotice）の場合は、ノード詳細記述〔コメント（最大全角３５文字）（axtNodeDescr）〕、システム日時時刻〔yy/mm/dd xxx hh:mm:ss（axtNodeDateTime）〕、スイッチループバックインタフェース番号〔スイッチループバックの設定された幹線に対応するインタフェース番号（axtLpbkSwIfIndex）〕、スイッチループバック実行理由〔1:手動、2:LOS検出、3:LOF検出、4:LAIS検出、5:LRDI検出、6:LOP検出、7:LCD検出、8:PAIS検出、9:PRDI検出（axtLpbkSwReason）〕〕の各項目があり、その表示例は図５（ｅ）に示される如くである。
【００３４】
ループバック（自動ループバック解除実行通知＝axtLpbkAutoRelNotice）の場合は、ノード詳細記述〔コメント（最大全角３５文字）（axtNodeDescr）〕、システム日時時刻〔yy/mm/dd xxx hh:mm:ss（axtNodeDateTime）〕、スイッチループバックインタフェース番号〔スイッチループバックの設定された幹線に対応するインタフェース番号（axtLpbkSwIfIndex）〕の各項目があり、その表示例は図６（ａ）に示される如くである。
【００３５】
ループバック（インタフェースループバック解除通知＝axtLpbkIfRelNotice）の場合は、ノード詳細記述〔コメント（最大全角３５文字）（axtNodeDescr）〕、システム日時時刻〔yy/mm/dd xxx hh:mm:ss（axtNodeDateTime）〕、スイッチループバックインタフェース番号〔スイッチループバックの設定された幹線に対応するインタフェース番号（axtLpbkSwIfIndex）〕、スイッチループバック種別の各項目があり、その表示例は図６（ｂ）に示される如くである。
【００３６】
クロック（クロック抽出切り替わり通知＝axtClkLinChangeNotice）の場合は、ノード詳細記述〔コメント（最大全角３５文字）（axtNodeDescr）〕、システム日時時刻〔yy/mm/dd xxx hh:mm:ss（axtNodeDateTime）〕の各項目があり、その表示例は図６（ｃ）に示される如くである。
【００３７】
試験（試験OAMセル受信通知＝axtTestCsRcvNotice）の場合は、ノード詳細記述〔コメント（最大全角３５文字）（axtNodeDescr）〕、システム日時時刻〔yy/mm/dd xxx hh:mm:ss（axtNodeDateTime）〕の各項目があり、その表示例は図６（ｄ）に示される如くである。
【００３８】
接点警報（接点警報通知＝axtCctBoxAlarm）の場合は、ノード詳細記述〔コメント（最大全角３５文字）（axtNodeDescr）〕、システム日時時刻〔yy/mm/dd xxx hh:mm:ss（axtNodeDateTime）〕、接点ＢＯＸ警報状態（1:正常、2:接点警報発生中）〔接続されている接点ＢＯＸの全接点警報状態1:正常（axtLalmStatus=normal(1)）2:接点警報発生中（axtLalmStatus=alarm(2)〕、接点番号インデックス〔接点テーブルのインデックス（axtCctBoxPntNumIndex)〕、接点警報名〔接点警報名（最大全角２０文字）（axtCctBoxPntAlmName）〕、接点警報状態（1:正常、2:接点警報状態）〔接点ＢＯＸ内の該当接点の警報状態（axtCctBoxPntAlmStatus)1:正常（axtLalmStatus=normal(1)）2:接点警報発生中（axtLalmStatus=alarm(2)〕の各項目があり、その表示例は図６（ｅ）に示される如くである。
【００３９】
以上（図４〜図６）は、ネットワーク管理装置１０の管理ミドルウェア１０５ｃにてサポートされる自律通知表示機能のうち、自律通知情報をキャラクタによって表示する処理に係わる表示例である。この他、管理ミドルウェア１０５ｃでは、被管理装置２０から受信した自律通知情報を、これら被管理装置２０を表す装置アイコンを用いて表示する描画処理機能もサポートしている。以下、この装置アイコンを用いた自律通知描画処理機能について説明する。
【００４０】
図７は、管理ミドルウェア１０５ｃがサポートする描画アプリケーション「ＩＰＭａＰ」による表示画面の一例を示すものである。この「ＩＰＭａＰ」は、例えば、図１に示したような通信ネットワークシステム内の被管理装置２０ａ，２０ｂ，２０ｃを、これらをそれぞれアイコン化した装置シンボル７１として表示するとともに、それぞれの被管理装置２０から受信した自律通知情報〔図５，図６参照〕内のシステム障害状態を示す情報に応じて当該送信元の被管理装置２０に対応する装置シンボル７１の色を変更表示する処理を行うものである。なお、図７において、日野センタ装置は、例えば図１における被管理装置２０ａに相当する。同様に、図７中、豊田リモート装置１と豊田リモート装置２は、それぞれ図１における被管理装置２０ｂと２０ｃに相当する。「ＩＰＭａＰ」に配置された装置シンボル７１の装置状態色の操作に関しては、例えば、正常域については緑色、警戒域については黄色、危険域については赤色といった設定が可能である。
【００４１】
次に、この「ＩＰＭａＰ」上における装置シンボル色操作処理動作について、図８に示すフローチャートを参照して説明する。この装置シンボル色操作の実現に際しては、まず最初に初期化設定処理を行い（ステップ８０１）、次いでトラップイベントコールバック登録処理を行う（ステップ８０２）。すなわち、初期化設定処理では、管理ミドルウェア１０５ｃからのプロセス起動によりトラップ（自律通知）処理プロセスから自律通知表示アプリケーション１０５ａのＡＰＩ（Application Program Interface）機能を利用できるようにするために、これら両者間の接続状態の初期化（OVwInit）を行う。また、トラップイベントコールバック登録処理では、管理ミドルウェア１０５ｃからのトラップ（コールバック呼び出し）を受信するためにトラップイベントのコールバックを登録（OVsnmpEventOpen）を行う。
【００４２】
以上の処理の完了後、「ＩＰＭａＰ」では、管理プロトコル１０５ｄを通じて被管理装置２０からのトラップが受信される（ステップ８１１）のを契機に、装置シンボル７１の状態解析処理を行う（ステップ８０３）。具体的には、通知されたトラップの送信元ＩＰアドレスからトラップ送信元装置シンボル７１の現在の障害状態を読み出し、通知されたトラップのシステム状態と比較し、変化があるか否かを解析する。
【００４３】
この解析において、状態の変化がない場合、トラップ発生の監視（ステップ８１１）を続行し、状態の変化があれば、装置シンボル色変更処理を行う（ステップ８０４）。この装置シンボル色変更処理においては、ステップ８０３での装置シンボル状態解析処理において変化が検出された場合にのみ、トラップ送信元装置シンボル７１の色をトラップで受信したシステム障害に応じて変更（OVwSetStatusOnSymbol）する。図９は、トラップで受信したシステム障害状態とトラップ送信元装置シンボル７１のステータスから変更されるトラップ送信元装置シンボル色の関係を示す表図である。
【００４４】
以上の如く、本発明のネットワーク管理装置１０では、被管理装置２０に関する障害の発生ばかりでなく、その障害復旧についても、これら被管理装置２０を表す装置シンボル７１の色変化として表示するようにしているため、管理者は、被管理装置２０の障害の発生も復旧も共に適時認識できるようになる。更に、この装置シンボル７１による表示を、管理ミドルウェア１０５ｃによる自律通知履歴表示と組み合わせることで、過去の障害の発生あるいは復旧に関しても判断可能な構成も実現できる。
【００４５】
また、本発明のネットワーク管理装置１０は、上述した自律通知表示機能の他、被管理装置２０の構成及び状態に係わる情報を表示する構成／状態表示機能を有する。ここで言う構成とは、例えば被管理装置２０の筐体前面におけるインタフェーススロットやその中の各ユーザポート等の構成であり、また状態とは例えば上記インタフェーススロットにつながる内部基板の動作状態、電源の状態あるいはアラーム発生状況等を指す。この構成／状態表示機能に関する処理を担うのが画面表示アプリケーション１０５ｂである。
【００４６】
以下、このネットワーク管理装置１０における被管理装置２０の構成／状態表示処理動作について説明する。ネットワーク管理装置１０における画面表示アプリケーション１０５ｂでの構成／状態表示処理は、例えば、入力部１０３からの所定の構成／状態確認操作に応じて起動することができる。この構成／状態確認操作の一例として、管理者は、入力部１０３において、確認しようとする被管理装置２０のＩＰアドレスを指定した後、表示処理起動を指示する操作を行えば良い。この他、例えば図７における「ＩＰＭａｐ」画面上で、ある被管理装置２０に対応する装置シンボル７１について障害発生との色表示がなされた状態で、当該被管理装置２０に対応する装置シンボル７１の領域内をクリックする操作を行い、この操作を受けて上記表示機能を起動させるようにしても良い。
【００４７】
上述した起動操作の後、画面表示アプリケーション１０５ｂは、管理ミドルウェア１０５ｃと管理プロトコル１０５ｄを使用して、通信路３０で接続されている被管理装置２０の上述した構成及び状態に係わる情報を当該被管理装置２０の被管理ミドルウェア２０４に要求する。ここで、当該要求の送出先は、上述の操作により入力されたＩＰアドレスを持つ被管理装置２０であることは言うまでもない。
【００４８】
この要求の送出先の被管理装置２０では、管理プロトコル２０４ｄを使用して、上記画面表示アプリケーション１０５ｂからの要求を受け付け、該要求を被管理ミドルウェア２０４ｃに渡す。被管理ミドルウェア２０４は、当該要求を受けることにより、記憶部２０４から自装置に関する構成／状態管理情報２０４ｂ（当該装置における外部接続スロット構造、内部基板の動作状態、電源の状態あるいはアラーム発生状況等の内容を反映した情報）を読み出し、該情報２０４ｂを、管理プロトコル２０４ｄを使用して、ネットワーク管理装置１０に送出する応答処理を行う。
【００４９】
これに対し、ネットワーク管理装置１０では、管理プロトコル１０５ｄを使用して、被管理装置２０から応答送出された上記構成／状態管理情報２０４ｂを受信し、該情報２０４ｂを管理ミドルウェア１０５ｃに格納する。更に、画面表示アプリケーション１０５ｂは、管理ミドルウェア１０５ｃに格納された上記構成／状態管理情報２０４ｂに基づき表示部１０４に対する描画処理を行う。この描画処理において、画面表示アプリケーション１０５ｂは、被管理装置２０より取得した構成／状態管理情報２０４ｂ内の各項目に対応した構成及び状態に関する画像を、当該被管理装置２０の実機イメージそのままに描画する。
【００５０】
一般に、被管理装置２０（実機）では、例えばその筐体前面に、インタフェーススロット等が設けられる他、このインタフェーススロット等につながる内部基板の動作状態、電源の状態あるいはアラーム発生状況等を表示する表示素子等が設けられる。上記実機イメージとは、この被管理装置２０（実機）の筐体前面を実際に見た場合と同じに認知し得る画像内容を意味する。
【００５１】
ネットワーク管理装置１０は、上記のように被管理装置２０の構成及び状態について実機イメージでの描画を行った後、同様の処理により、定期的に、被管理装置２０の構成／状態管理情報２０４ｃを取得する。一方、被管理装置２０では、ネットワーク管理装置１０からの定期的な情報取得要求に対し、状態監視部２０３の監視結果を基に最新の内容を反映させた構成／状態管理情報２０４ｃを返送する。画面表示アプリケーション１０５ｂは、定期的に取得される構成／状態管理情報情報２０４ｃを用い、過去の内容を最新の内容で更新し、上記実機イメージによる描画を継続する。この結果、被管理装置２０の構成や状態が変化しても、被管理装置２０に関する最新の構成及び状態が常に実機イメージとして描画される。これにより、管理者は、被管理装置２０の最新の構成及び状態を実際に当該被管理装置２０に赴いてその筐体前面を見た場合と全く同じに認識でき、当該被管理装置２０の保守・管理作業を円滑に進めることができる。
【００５２】
次に、このネットワーク管理装置１０における被管理装置２０の構成及び状態に関する描画イメージの具体例について説明する。図１０及び図１１は、それぞれ、ネットワーク管理装置１０における被管理装置２０の構成及び状態の表示例を示すものである。特に、図１０は、被管理装置２０が３スロット版制御用ＡＴＭ装置である場合の表示例であり、図１１は、被管理装置２０が１２スロット版制御用ＡＴＭ装置である場合の表示例である。これらの図からも分かるように、３スロット版制御用ＡＴＭ装置あるいは１２スロット版制御用ＡＴＭ装置のいずれについても、インタフェーススロット等の構造、このインタフェーススロット等につながる内部基板の動作状態、電源の状態あるいはアラーム発生状況等を表示する表示素子の点灯状態等が、実機イメージと同じに描画されている。
【００５３】
画面表示アプリケーション１０５ｂは、被管理装置２０より、後述するような構成情報（sysObjectID,axtBrdBaseOperStatus,axtBrdBaseType,axtBrdIfOperStatus,axtBrdIfType）や、状態情報（axtBoardAlarmStatus,axtBrdBaseOperStatus,axtBrdBaseAlarmStatus,axtIndLinAlmLed,axtIfAlarmStatus,axtIndIfLed,axtLalmStatus）を取得し、以下に述べるような規則に従って、表示部１０４に対し、図１０あるいは図１１に示すような画像の描画処理を行う。
【００５４】
ここで、例えば、図１０に示す表示画面を例に挙げて、画面構成及び描画規則について説明する。同図に引き出し線により付される括弧番号は当該表示画面の各表示項目を示すものである。この表示画面における表示項目（１）〜（２２）のうち、（１）タイトルバーには画面名称が表示される。（２）メニューバーには、トップレベルメニュー項目が表示される。（３）トップレベルメニュー項目：（操作）の内訳としては、ファイル、構成、運転等の複数の項目があり、それぞれの項目をクリックすることによりプルダウンメニューが表示される。（４）装置種別には、選択した装置の装置種別が表示される。この例では、リングネットワークリモート通信装置が選択されているが、他に、リングネットワークセンタ通信装置やスター型接続リモート装置等がある。これら装置種別は、いずれも（sysObjectID）より取得される。
【００５５】
（５）装置名：（表示／操作）には、選択した装置の装置名（この例では、豊田リモート装置１号）が表示される（axtNodeDescr）。ラベル名文字列の最大長は、全角３２文字（半角６４文字）となる。もし、画面幅を超える長さの文字列であった場合のため、この表示エリアへのクリックによりキャレットを表示し、矢印キー入力で文字列の横スクロールを可能とする。（６）ＩＰアドレスには、選択した装置のＩＰアドレスが表示される。このＩＰアドレスは、起動元アプリケーションより取得する。
【００５６】
（７）ＰＯＷＥＲには、主電源運転状態を色で表示する。例えば、正常（axtIndPsStatus=normal(1) 正常）の場合は緑色、異常（axtIndPsStatus=abnormal(2) 異常）の場合は赤色、認識不能（axtIndPsStatus=unknown(-1) 不明）の場合は水色で表示する。
【００５７】
（８）ＲＵＮには、システム運用状態を色で表示する（ＲＵＮ−ＬＥＤ状態）。例えば、点滅中（正常）（axtIndRunLed=ledGrnBlink0(4) 点滅０）の場合は緑色、運用不可状態（axtIndRunLed=ledOff(1)、ledGrn(2) ＣＰＵ停止状態）の場合は赤色、認識不能（axtIndRunLed=unknown(-1) 不明）の場合は水色で表示する。
【００５８】
（９）ＡＬＡＲＭには、装置状態を色で表示する（ＡＬＭ−ＬＥＤ状態）。例えば、正常動作中（axtIndAlmLed=ledOff(1) ＯＦＦ状態）の場合は緑色、点滅中（axtIndAlmLed=ledRedBlink0(5)ledRedBlink1(7)ledRedBlink5(15) 点滅状態）の場合は赤色、異常発生状態（axtIndAlmLed=ledRedOn(3) ＯＮ状態）の場合は黄色、認識不能（axtIndAlmLed=unknown(-1) 不明）の場合は水色で表示する。
【００５９】
（１０）ＮＣＯＮＶ基板枠線：（枠内領域：操作）には、ＮＣＯＮＶ基板が内部に存在することを表すために、装置前面イメージ上に点線矩形をオーバラップさせる。点線矩形内へのクリックで、選択を表す強調線矩形にする（図１８参照）。
【００６０】
（１１）ＮＣＯＮＶ基板状態には、内部基板の状態を色で表示する。例えば、正常（axtBoardAlarmStatus.n=normal(1) 正常）の場合は緑色、警報（axtBoardAlarmStatus.n=minAlm(2) 警報）の場合は黄色、異常（axtBoardAlarmStatus.n=majAlm(3) 異常）の場合は赤色、認識不能（axtBoardAlarmStatus.n=unknown(-1) 不明）,（axtBoardType=nconv(2)）の場合は水色で表示する。上記条件式中、「n」は、（n=インスタンスインデックス=ＮＣＯＮＶ基板に該当するエントリのインデックス）を意味する。
【００６１】
（１２）ＭＡＩＮ基板枠線：（枠内領域：操作）には、ＭＡＩＮ基板が内部に存在することを表すために、装置前面イメージ上に点線矩形をオーバラップさせる。点線矩形内へのクリックで、選択を表す強調線矩形にする（図１８参照）。また、３スロットイメージの時、装置種別がスター型接続リモート通信装置の場合、回線Ｉ／Ｆイメージ及びＬＥＤイメージの表示は行わないものとする。
【００６２】
（１３）ＭＡＩＮ基板状態には、内部基板の状態を色で表示する。例えば、正常（axtBoardAlarmStatus.n=normal(1) 正常）の場合は緑色、警報（axtBoardAlarmStatus.n=minAlm(2) 警報）の場合は黄色、異常（axtBoardAlarmStatus.n=majAlm(3) 異常）の場合は赤色、認識不能（axtBoardAlarmStatus.n=unknown(-1)不明）,（axtBoardType=mainb(1)）の場合は水色で表示する。上記条件式中、「n」は、（n=インスタンスインデックス=ＭＡＩＮ基板に該当するエントリのインデックス）を意味する。
【００６３】
（１４）ベースＩ／Ｆスロット挿入基板イメージ：（表示／操作）には、該当する基板の実装状況や運用状態等にそれぞれ対応するベースＩ／Ｆイメージを表示する。例えば、当該スロットに基板が未実装の場合、図１２（ａ）に示す如く、ベースＩ／Ｆダミー基板前面のイメージを表示する。この場合における状態判定は、（axtBrdBaseOperStatus.p=(3) Ｈ／Ｗ認識不可）または（axtBrdBaseOperStatus.p=(-1) 不明）を参照して行う。但し、上記条件式中、「p」は、（p=インスタンスインデックス=axtBrdBaseIndex=ベースＩ／Ｆスロット番号）を意味する。また、当該イメージの表示後、次のスロット状態を取得する。
【００６４】
運用状態が組み込み状態または切り離し状態の場合、挿入基板前面イメージを表示する。この場合における各状態の判定は、（axtBrdBaseOperStatus.p=(1)組み込み状態）または（axtBrdBaseOperStatus.p=(2) 切り離し状態）を参照して行う。但し、上記条件式中、「p」は、（p=インスタンスインデックス=axtBrdBaseIndex=ベースＩ／Ｆスロット番号）を意味する。
【００６５】
また、運用状態が組み込み状態または切り離し状態の場合であって、かつ下記の条件を満たす場合には、ベースＩ／Ｆイメージ上に更にユーザポートイメージをのせて表示する。例えば、（axtBrdBaseType.p=sd15l(4)）の場合、図１２（ｂ）に示す如くのイメージを表示する。また、（axtBrdBaseType.p=sd15u(5)）の場合、図１２（ｃ）に示す如くのイメージを表示する。
【００６６】
同様に、（axtBrdBaseType.p=is15l(6)）の場合、図１３（ａ）に示す如くのイメージを表示する。（axtBrdBaseType.p=is15u(7)）の場合、図１３（ｂ）に示す如くのイメージを表示する。（axtBrdBaseType.p=sd63l(8)）の場合、図１３（ｃ）に示す如くのイメージを表示する。（axtBrdBaseType.p=sd63u(9)）の場合、図１３（ｄ）に示す如くのイメージを表示する。（axtBrdBaseType.p=cr63(10)）の場合、図１３（ｅ）に示す如くのイメージを表示する。
【００６７】
更に、（axtBrdBaseType.p=ifba(1)）、または（axtBrdBaseType.p=al1b(2)）、または（axtBrdBaseType.p=brdNull(3)）の場合、図１４（ａ）に示す如くのベースＩ／Ｆイメージを表示し、その上にインタフェース基板イメージを表示する。また、（axtBrdBaseType.p= 上記以外）の場合、図１４（ｂ）に示す如くのＩ／Ｆイメージを表示する。表示後、次のスロット状態を取得する。一方、運用状態が組み込み、切り離し、Ｈ／Ｗ認識不可、不明以外の場合、図１４（ｃ）に示す如くのＩ／Ｆイメージを表示する。この場合における状態判定は、（axtBrdBaseOperStatus.p=(1)、(2)、(3)、(-1)）以外であることを参照して行う。また、当該イメージの表示後、次のスロット状態を取得する。
【００６８】
（１５）スロット挿入基板状態には、ランプのイメージ（実際には存在しない）を表示し、基板の状態を色で表す。具体的には、各スロットに収容しているベース基板及びＩ／Ｆ基板のそれぞれの状態を採取し、最も障害レベルが高い色を表示する。
【００６９】
ベース基板の状態に関する表示色の例としては、例えば正常状態（axtBrdBaseOperStatus.p=up(1) 組み込み状態）かつ（axtBrdBaseAlarmStatus.p=normal(1)正常）の場合は緑色、警報状態（axtBrdBaseAlarmStatus.p=minAlm(2) 警報状態）かつ（axtBrdBaseOperStatus.p=up(1) 組み込み状態）の場合は黄色、異常状態（axtBrdBaseAlarmStatus.p=majAlm(3) 異常状態）かつ（axtBrdBaseOperStatus.p=up(1) 組み込み状態）の場合は赤、停止状態（axtBrdBaseOperStatus.p=down(2) 停止状態）の場合は橙色でそれぞれ表示し、未実装状態（axtBrdBaseOperStatus.p=up(3) Ｈ／Ｗ認識不可）の場合は表示無しとする。なお、上記条件式中、「p」は、（p=インスタンスインデックス=axtBrdBaseIndex=ベースＩ／Ｆスロット番号）を意味する。
【００７０】
同様に、インタフェース基板の状態に関する表示色の例としては、例えば正常状態（axtBrdBaseOperStatus.q=up(1) 組み込み状態）かつ（axtBrdBaseAlarmStatus.q=normal(1) 正常）の場合は緑色、警報状態（axtBrdBaseAlarmStatus.q=minAlm(2) 警報状態）かつ（axtBrdBaseOperStatus.q=up(1) 組み込み状態）の場合は黄色、異常状態（axtBrdBaseAlarmStatus.q=majAlm(3) 異常状態）かつ（axtBrdBaseOperStatus.q=up(1) 組み込み状態）の場合は赤、停止状態（axtBrdBaseOperStatus.q=down(2) 停止状態）の場合は橙色でそれぞれ表示し、未実装状態（axtBrdBaseOperStatus.q=up(3) Ｈ／Ｗ認識不可）の場合は表示無しとする。なお、上記条件式中、「q」は、（q=インスタンスインデックス=axtBrdIfIndex=インタフェース基板スロット番号）を意味する。
【００７１】
（１６）ユーザポート０〜３：（表示／操作）には、幹線伝送路用Ｉ／Ｆポート（１〜２）とネットワーク管理装置Ｉ／Ｆポート（３）の各状態をそれぞれ色で表示する。ここで、各ポートの表示イメージは、それぞれコネクタを模したコネクタイメージとこれに隣接するＬＥＤを模したＬＥＤイメージとで構成される。当該表示項目においては、上記各ＬＥＤイメージに対して該当各ポートの状態に応じた表示色の変更処理を行う。これにより、例えば運転中（axtIndLinAlmLed.q=ledGrn(2) 運転中）の場合は緑色、回線障害（axtIndLinAlmLed.q=ledRed(3) 回線異常）の場合は赤色、停止状態（axtIndLinAlmLed.q=ledoff(1)、ledRedBlink0(5) 停止状態）の場合は橙色、不明（axtIndLinAlmLed.q=unknown(-1) 不明）の場合は水色で表示する。上記条件式中、「q」は、（q=インスタンスインデックス=axtIfIndex=ユーザポート番号）を意味する。なお、当該表示項目に関しては、描画領域矩形内へのクリックにより、コネクタイメージに対して選択を表す枠線の強調表示を行う。
【００７２】
（１７）インタフェース基板Ｘ０〜Ｘ３（Ｘ＝ベースＩ／Ｆスロット番号）：（表示／操作）には、ベースＩ／Ｆのタイプ（axtBrdBaseType.n）を確認し、ベースＩ／Ｆスロットイメージの上にインタフェース基板イメージをのせて表示する。上記条件式中、「n」は、（n=インスタンスインデックス=axtBrdBaseIndex=ベース基板スロット番号）を意味する。
【００７３】
この表示項目におけるインタフェース基板イメージとしては、図１５及び図１６の示すような種類がある。以下に述べるようなそれぞれの条件に応じ、ベースＩ／Ｆイメージ上に更にユーザポートイメージをのせて表示する。なお、下記条件式中、「m」は、（m=インスタンスインデックス=axtBrdIfIndex=インタフェース基板スロット番号）を意味する。
【００７４】
まず、当該スロットに基板が未実装の場合、図１５（ａ）に示す如く、ベースＩ／Ｆダミー基板前面のイメージを表示する。この場合における状態判定は、（axtBrdIfOperStatus.m=(3) Ｈ／Ｗ認識不可）または（axtBrdIfOperStatus.m=(-1) 不明）を参照して行う。
【００７５】
また、運用状態が組み込み状態または切り離し状態の場合、挿入基板前面イメージを表示する。この場合における各状態の判定は、（axtBrdIfOperStatus.p=(1) 組み込み状態）または（axtBrdIfOperStatus.p=(2) 切り離し状態）を参照して行う。また、運用状態が組み込み状態または切り離し状態の場合であって、かつ下記の条件を満たす場合には、インタフェース基板イメージの上に回線イメージをのせて表示する。例えば、（axtBrdIfType.m=ifea(1)）の場合、図１５（ｂ）に示す如くのイメージを表示する。また、（axtBrdIfType.m=ifeb(2)）の場合、図１５（ｃ）に示す如くのイメージを表示する。また、（axtBrdIfType.m=if63hsd(3)）の場合、図１５（ｄ）に示す如くのイメージを表示する。また、（axtBrdIfType.m=if4wtp(4)）の場合、図１５（ｅ）に示す如くのイメージを表示する。
【００７６】
同様に、（axtBrdIfType.m=a150ss(5)）の場合、図１６（ａ）に示す如くのイメージを表示する。（axtBrdIfType.m=a150mm(6)）の場合、図１６（ｂ）に示す如くのイメージを表示する。（axtBrdIfType.m=a150sl(7)）の場合、図１６（ｃ）に示す如くのイメージを表示する。（axtBrdIfType.m=clk(8)）の場合、図１６（ｄ）に示す如くのイメージを表示する。（axtBrdIfType.m=clk1(9)）の場合、図１６（ｅ）に示す如くのイメージを表示する。（axtBrdIfType.m=clk2(10)）の場合、図１６（ｆ）に示す如くのイメージを表示する。
【００７７】
また、（axtBrdIfType.m= 上記以外）の場合、図１６（ｇ）に示す如くのイメージを表示する。この場合、ユーザポートイメージは表示しない。一方、運用状態が組み込み、切り離し、Ｈ／Ｗ認識不可、不明以外の場合、図１６（ｈ）に示す如くのインタフェース基板イメージを表示する。この場合における状態判定は、（axtBrdIfOperStatus.m=(1)、(2)、(3)、(-1)）以外であることを参照して行う。この場合にもユーザポートイメージは表示しない。
【００７８】
（１８）ユーザポートＸ０〜Ｘ３（Ｘ＝ベースＩ／Ｆスロット番号）：（表示／操作）には、インタフェース基板の種別に応じた色表示を行う。ここで、各ポートの表示イメージは、図１７（ａ）に示す如くのコネクタイメージと、同図（ｂ）示す如くのＬＥＤイメージとで構成される。当該表示項目においては、インタフェース基板の種別が（axtBrdIfType.m=ifea(1)またはaxtBrdIfType.m=ifeb(2)）の場合、回線状態を色により表す。この色表示は、図１７（ａ）に示すコネクタイメージ上で、コネクタ色を下記のように変更することで対応する。例えば正常状態（axtIfAlarmStatus.q=normal(1) 起動状態）の場合は緑色、異常状態（axtIfAlarmStatus.q=majAlm(3) major警報レベル）の場合は赤色、停止状態（axtIfAlarmStatus.q=minAlm(2) minor警報レベル）の場合は黄色、停止状態（axtIfAlarmStatus.q=unknown(-1) 不明状態）の場合は水色で表示する。上記条件式中、「q」は、（q=インスタンスインデックス=axtIfIndex=ユーザポート番号）を意味する。
【００７９】
また、当該表示項目においては、インタフェース基板の種別が（axtBrdIfType.m=ifea(1)またはaxtBrdIfType.m=ifeb(2)）以外の場合、ＬＥＤの状態を色により表す。この色表示は、図１７（ｂ）に示すＬＥＤイメージ上で、ＬＥＤ色を下記のように変更することで対応する。例えば正常状態（axtIndIfLed.q=ledGrn(2) 起動状態）の場合は緑色、異常状態（axtIndIfLed.q=ledRed(3) 障害状態）の場合は赤色、停止状態（axtIndIfLed.q=unknown(-1) 不明状態）の場合は水色、停止状態（axtIndIfLed.q=ledOff(1)、ledGrnBlink0(4) 停止状態）の場合は橙色で表示する。上記条件式中、「q」は、（q=インスタンスインデックス=axtIfIndex=ＬＥＤインデックス）を意味する。なお、当該表示項目についても、描画領域矩形内へのクリックにより、コネクタイメージに対して選択を表す枠線の強調表示を行う。
【００８０】
（１９）ファンには、ランプのイメージ（実際には存在しない）を表示し、ファン動作状態を色で表す。ファン動作状態に関する表示色の例としては、例えば正常状態（axtLalmStatus.t=normal(1) 正常）の場合は緑色、異常状態（axtLalmStatus.t=alarm(2) 異常）の場合は赤色、認識不能（axtLalmStatus.t=unknown(-1) 不明）の場合は水色で表示する。なお、上記条件式中、「t」は、（t=インスタンスインデックス=axtLalmObsId=ファン警報情報の該当監視点ＩＤ：h01090002）を意味する。
【００８１】
（２０）温度には、ランプのイメージ（実際には存在しない）を表示し、装置内部の温度状態を色で表す。温度状態に関する表示色の例としては、例えば正常状態（定格値範囲内）（axtLalmStatus.u=normal(1) 正常）の場合は緑色、異常状態（定格値範囲外）（axtLalmStatus.u=alarm(2) 異常）の場合は赤色、認識不能（axtLalmStatus.u=unknown(-1) 不明）の場合は水色で表示する。なお、上記条件式中、「u」は、（u=インスタンスインデックス=axtLalmObsId=温度警報情報の該当監視点ＩＤ：h01090000）を意味する。
【００８２】
（２１）接点警報には、ランプのイメージ（実際には存在しない）を表示し、装置内部の接点警報状態を色で表す。接点警報状態に関する表示色の例としては、例えば正常状態（axtCctBoxAlmStatus=normal(1) 正常）かつ（axtCctBoxConStatus=connect(1) 接続）の場合は緑色、警報状態（axtCctBoxAlmStatus=minAlm(2) 警報）かつ（axtCctBoxConStatus=connect(1) 接続）の場合は黄色、異常状態（axtCctBoxAlmStatus=majAlm(3) 異常）かつ（axtCctBoxConStatus=connect(1) 接続）の場合は赤色でそれぞれ表示し、認識不能（axtCctBoxAlmStatus=unknown(-1) 不明）または（axtCctBoxConStatus=disconnect(2) 未接続）の場合は表示無しとする。（２２）ステータスバーには、ステータスを表示する。
【００８３】
上記（１）〜（２２）の表示項目を有する表示画面（装置状態図：図１０参照）上では、所望の描画エリアを以下の操作で選択することができる。この選択操作について図１８を参照して説明する。図１８は、図１０における装置状態図の描画エリア選択操作イメージを示すものである。
【００８４】
図１８（ａ）は、初期状態、すなわちどの描画エリアも選択されていない状態を表している。この状態で、該当描画エリアへマウスポインタを移動後、クリックすることにより、選択状態にする。この時、当該描画エリアが選択状態であることが分かるように、例えば同図（ｂ）に示す如く、当該描画エリアの枠線の強調表示を行う。同図（ｂ）は、装置状態図上の（１０）ＮＣＯＮＶ基板枠線の表示項目が選択された状態を示している。
【００８５】
この装置状態図上では、（１４）基板イメージ及び（１８）ユーザポートイメージの各表示項目については複数選択ができないようにする。また、この装置状態図上の選択状態は、一度、選択操作が行われた後は、常にどれかが選択状態のままとする。具体的に、例えば、（１４）基板イメージの選択においては、最初に、採取するインタフェース基板スロット番号はＸ０とする（但し、ＸはベースＩ／Ｆスロット番号に相当する）。もし、採取したインタフェース基板の種別が１インタフェース基板に１ユーザポートを実装している場合には、次に採取するインタフェース基板スロット番号は左となりのユーザポート番号である。また、１インタフェース基板に２ユーザポートを実装している場合は、次に採取するインタフェース基板スロット番号はＸ２である。
【００８６】
採取したインタフェース基板の種別が（axtBrdIfType.m=other(-1)及び未定義）の場合、１インタフェース基板に１ユーザポートを実装している場合と同様に次に採取するインタフェース基板スロット番号は左となりのユーザポート番号である。すなわち、（axtBrdIfType.m=other(-1)及び未定義）の場合において、インタフェース基板スロット番号Ｘ０で採取したインタフェース基板種別が、１インタフェース基板に１ユーザポートを実装している場合、次に採取するインタフェース基板スロット番号はＸ１となる。インタフェース基板スロット番号Ｘ１で採取した、インタフェース基板種別が、１インタフェース基板に１ユーザポートを実装している場合、次に採取するインタフェース基板スロット番号はＸ２となる。インタフェース基板スロット番号Ｘ２で採取した、インタフェース基板種別が、１インタフェース基板に１ユーザポートを実装している場合、次に採取するインタフェース基板スロット番号はＸ３となる。図１８（ｃ）は、上記規則に従ったユーザポートの選択例を示すものであり、特に、ユーザポート２１が選択された状態を示している。
【００８７】
なお、図１０及び図１２〜図１８においては、被管理装置２０が３スロット版制御用ＡＴＭ装置である場合における構成／状態管理情報の表示処理、表示イメージ及び選択操作の例を説明したが、これら表示処理、表示イメージ及び選択操作は、図１１に示す１２スロット版制御用ＡＴＭ装置を対象とする場合も同様に適用されるものである。
【産業上の利用可能性】
【００８８】
本発明は、１または複数の通信装置と該通信装置を管理するネットワーク管理装置を通信路により接続して成る通信ネットワークシステムに適用でき、被管理装置の構成及び該構成を前提とする状態に関する情報を管理装置が被管理装置から取得し、該取得した情報に基づき取得元被管理装置の構成及び状態を実機そのままのイメージで表示画面上に表示することで、管理者は上記表示画面上の表示内容から被管理装置の構成及び状態を実機に赴く場合と同等の精度で正確に認識できる。
【図面の簡単な説明】
【００８９】
【図１】本発明に係わる通信ネットワークシステムの全体構成を示す概略図。
【図２】図１におけるネットワーク管理装置の機能構成を示すブロック図。
【図３】図１における被管理装置の機能構成を示すブロック図。
【図４】ネットワーク管理装置での被管理装置自律通知情報の表示例を示す図。
【図５】図４に示す表示画面を得るための表示対象の一部の情報の設定例を示す図。
【図６】図４に示す表示画面を得るための表示対象の他の情報の設定例を示す図。
【図７】ネットワーク管理装置での被管理装置自律通知情報の別の表示例を示す図。
【図８】図７における表示画面上の装置シンボル色操作処理を示すフローチャート。
【図９】装置シンボル色操作における装置シンボルステータスと受信したシステム障害状態の関係を示す表図。
【図１０】ネットワーク管理装置での被管理装置の構成／状態表示画面の一例を示す図。
【図１１】ネットワーク管理装置での被管理装置の構成／状態表示画面の別の例を示す図。
【図１２】各種ベースＩ／Ｆスロット挿入基板の表示イメージを示す図。
【図１３】別の各種ベースＩ／Ｆスロット挿入基板の表示イメージを示す図。
【図１４】更に別の各種ベースＩ／Ｆスロット挿入基板の表示イメージを示す図。
【図１５】各種インタフェース基板の表示イメージを示す図。
【図１６】別の各種インタフェース基板の表示イメージを示す図。
【図１７】ユーザポートの表示イメージを示す図。
【図１８】図１０における表示画面上の描画エリア選択操作イメージを示す図。
【符号の説明】
【００９０】
１０  ネットワーク管理装置
１０１  インタフェース（Ｉ／Ｆ）部
１０２  制御部
１０３  入力部
１０４  表示部
１０５  記憶部
１０５ａ  自律通知表示アプリケーション
１０５ｂ  画面表示アプリケーション
１０５ｃ  管理ミドルウェア
１０５ｄ  管理プロトコル
２０，２０ａ，２０ｂ，２０ｃ  被管理装置
２０１  インタフェース（Ｉ／Ｆ）部
２０２  制御部
２０３  状態監視部
２０４  記憶部
２０４ａ  障害管理情報
２０４ｂ  構成／状態管理情報
２０４ｃ  被管理ミドルウェア
２０４ｄ  管理プロトコル
３０  通信路
７１  装置シンボル
【図１】
2006040302.tif 000003
【図２】
2006040302.tif 000004
【図３】
2006040302.tif 000005
【図４】
2006040302.tif 000006
【図５】
2006040302.tif 000007
【図６】
2006040302.tif 000008
【図７】
2006040302.tif 000009
【図８】
2006040302.tif 000010
【図９】
2006040302.tif 000011
【図１０】
2006040302.tif 000012
【図１１】
2006040302.tif 000013
【図１２】
2006040302.tif 000014
【図１３】
2006040302.tif 000015
【図１４】
2006040302.tif 000016
【図１５】
2006040302.tif 000017
【図１６】
2006040302.tif 000018
【図１７】
2006040302.tif 000019
【図１８】
2006040302.tif 000020